(57)【要約】      （修正有）【課題】各保管棚に設置した表示器にて、ピッキング作業の有無及びその内容を表示し、確認することで作業者による誤収集及び誤配送を抑制するようにしたピッキングシステムを提供する。【解決手段】保管庫の出入口ゲート或いはその近傍に、各作業者１０が保持するＩＣタグ１１の情報を読み取った情報を管理コンピュータ１へ通知するＩＣタグリーダー３及び１４をそれぞれ配置し、かつピッキング対象物を保管した各保管棚８で、棚位置毎に複数の保管ＩＣタグリーダー４，４を配置し、この各ＩＣタグリーダー３，４，１４と、管理コンピュータ１及びプリンタ１３とをＬＡＮ２にて接続し、さらに縦列保管棚毎に次棚番号表示器７を、かつ各段保管棚毎にピッキング数量表示器５とピッキング作業完了確認用の押釦スイッチ６とをそれぞれ配置し、このピッキング数量表示器５、押釦スイッチ６、次棚番号表示器７と管理コンピュータ１とをＩ／Ｏ配線１２にて接続する。【選択図】図１
2005170584.tif 000002
【特許請求の範囲】
【請求項１】
品物を保管、配送する配送センターの保管棚に配列した品物の中から必要な品物を、必要な数量だけ収集するピッキング作業において、ピッキング作業を行う各作業者が保持し、各作業者の情報を記憶しているＩＣタグと、該ＩＣタグの情報を読み取り、前記ＩＣタグの情報を管理コンピュータへ通知するＩＣタグリーダーと、前記保管棚に前記作業者のピッキング作業内容を表示する表示器と、前記作業者が前記保管棚でのピッキング作業の完了を通知するための押釦スイッチとを備え、前記管理コンピュータで前記作業者にその作業者が前記保管棚で行うピッキング作業を割り付けるようにしたことを特徴とするピッキングシステム。
【請求項２】
保管棚で行うピッキング作業のピッキング数量を、保管棚に設置した数量表示器に表示するようにしたことを特徴とする請求項１記載のピッキングシステム。
【請求項３】
ピッキング作業を行う作業者が、保管棚に割り付けられたピッキング作業を終了したとき、保管棚でのピッキング作業の完了を押釦スイッチの押下操作で管理コンピュータに通知するようにしたことを特徴とする請求項１又は２記載のピッキングシステム。
【請求項４】
ピッキング作業の完了を通知後管理コンピュータから、次にピッキング作業を行う棚番号を保管棚に設置した棚番号表示器に表示するようにしたことを特徴とする請求項１、２又は３記載のピッキングシステム。
【請求項５】
作業者に割り付けられている１出荷番号分のピッキング作業が完了した場合、保管棚に設置した棚番号表示器に終了コードを表示するようにしたことを特徴とする請求項１、２、３又は４記載のピッキングシステム。
【発明の詳細な説明】
【技術分野】
【０００１】
本発明は、ピッキングシステムに関し、特に、各作業者の情報を記憶したＩＣタグを各作業者が保持し、かつ多段式の保管棚に設置した表示器にピッキング作業の有無を表示及び確認を行うことで、作業者によるピッキング作業の誤収集及び／又は誤配送を未然に防止し、正確なピッキング作業を簡易に行えるようにしたピッキングシステムに関するものである。
【背景技術】
【０００２】
従来から、品物を保管、配送する配送センターにおいては、作業者が複数の、かつ多段式の保管棚に配列した多種、多数の品物の中から必要な品物を、必要な数量だけ収集し、配送するようにしている。
このピッキングシステムとしては、バーコードリーダーを用いる方式、或いは各保管棚にピッキング数量を表示し、作業者は表示された数量を見ながらピッキングする方式などの各種ピッキングシステムが提案されている（例えば、特許文献１〜３参照）。
この前者のバーコードリーダーを用いた方式は、予めピッキング指示を作成、格納しているコンピュータシステムからピッキング指示の内容を作業員が操作する端末で受け、この端末に表示された指示に従って作業者がピッキング作業を行うようにしたピッキングシステムである。
また、後者の多段式の保管棚にピッキング数量を表示する方式においては、各保管棚に配列した品物の中から必要な品物を、必要な数量だけ収集するようにしたピッキング作業で、図４に示すように、品物を保管する多段式の保管棚が複数列に配列され、かつ該保管棚列の間にピッキング作業を行う作業者が通行する通路を配設した保管庫内において、その一端に配置した入口ゲートＩＮから作業者が入り、予め定めた方向に従って通路を進行しつつ、指定された品物を保管棚列からピッキングし、作業者は矢符の動線に従って動き、他端側に配置された出口ゲートＯＵＴから作業者が出るとき、指定された必要な品物が収集されているようにしたピッキングシステムである。
【０００３】
ところで、従来の多段式保管棚にピッキング数量を表示するピッキングシステムは、入口ゲートでどの作業者がピッキングするのか認識し、各保管棚にピッキング数量を表示し、作業者は表示された数量を見ながらピッキング作業を実行し、出口ゲートＯＵＴ通過でこの作業者がピッキング作業を終了したことを認識するようにし、かつ先の作業者が出口ゲートＯＵＴを出てから次の作業者が入口ゲートＩＮに入るようにしている。
【０００４】
このため、このピッキングシステムは、多段式の各保管棚に表示された数量を見ながら特定の作業者が、動線に従って移動し、ピッキングを実行しながら出口ゲートを通過することで、この特定の作業者のピッキングを終了したことを認識することができるが、ピッキング数量が表示された保管棚で、確実に作業者が指定された品物をピッキングしたか否か、つまり取り忘れた品物があったか否かは確認することができず、さらには先の作業者がどこかの保管棚でピッキング作業中に、次の作業者が誤って入口ゲートＩＮに進入するようになると、各保管棚に表示されているピッキング数量の表示が更新されることとなり、各保管棚での正確なピッキング数量が表示できなくなり、誤収集、誤配送するという問題があった。
また、品物を保管、配送する配送センターでは、ピッキング作業を効率的に行うため、複数の作業者がピッキング作業を行うのが普通であるので、各作業者によるピッキング能力差が生じる場合、システム全体としての能率が低下するとともに、上述のごときピッキングシステムと同様に誤収集、誤配送が発生し易いという問題があった。
【特許文献１】特開平２００２−３５６２０８号公報
【特許文献２】特開平２００３−１３７４０９号公報
【特許文献３】特開平２００３−１３７４１０号公報
【発明の開示】
【発明が解決しようとする課題】
【０００５】
本発明は、上記従来のピッキングシステムの有する問題点に鑑み、多段式の保管棚を複数配列し、この各保管棚に設置した表示器にて、ピッキング作業の有無及びその内容を表示し、確認することで作業者による誤収集及び／又は誤配送を抑制するようにしたピッキングシステムを提供することを目的とする。
【課題を解決するための手段】
【０００６】
上記目的を達成するため、本発明のピッキングシステムは、品物を保管、配送する配送センターの保管棚に配列した品物の中から必要な品物を、必要な数量だけ収集するピッキング作業において、ピッキング作業を行う各作業者が保持し、各作業者の情報を記憶しているＩＣタグと、該ＩＣタグの情報を読み取り、前記ＩＣタグの情報を管理コンピュータへ通知するＩＣタグリーダーと、前記保管棚に前記作業者のピッキング作業内容を表示する表示器と、前記作業者が前記保管棚でのピッキング作業の完了を通知するための押釦スイッチとを備え、前記管理コンピュータで前記作業者にその作業者が前記保管棚で行うピッキング作業を割り付けるようにしたことを特徴とする。
【０００７】
この場合において、保管棚で行うピッキング作業のピッキング数量を、保管棚に設置した数量表示器に表示するようにすることができる。
【０００８】
また、この場合において、ピッキング作業を行う作業者が、保管棚に割り付けられたピッキング作業を終了したとき、保管棚でのピッキング作業の完了を押釦スイッチの押下操作で管理コンピュータに通知するようにすることができる。
【０００９】
また、この場合において、ピッキング作業の完了を通知後管理コンピュータから、次にピッキング作業を行う棚番号を保管棚に設置した棚番号表示器に表示するようにすることができる。
【００１０】
また、この場合において、作業者に割り付けられている１出荷番号分のピッキング作業が完了した場合、保管棚に設置した棚番号表示器に終了コードを表示するようにすることができる。
【発明の効果】
【００１１】
本発明のピッキングシステムによれば、ピッキング作業を行う各作業者が保管棚を通過する際に、その作業者がこの保管棚でピッキング作業する品物の有無を保管棚に設置した表示器に表示することができ、また保管棚毎にＩＣタグリーダーがあるので、１つの保管棚に複数の作業者がこない限り、ピッキングする数量に誤りなく、正確に行えるので作業者による誤収集及び／又は誤配送を抑制することができる。
【００１２】
また、作業者はピッキング作業する位置で、保管棚で行うピッキング作業のピッキング数量を確認することができるので、取り忘れや取り間違いを確実に防止し、正確なピッキング作業を容易に行うことができる。
【００１３】
また、ピッキング作業を行う作業者が、保管棚に割り付けられたピッキング作業を終了したとき、該押釦スイッチを操作しない限りピッキング作業が未了となっており、収集されずに出荷するということを防止して、各保管棚での正確なピッキングを確実にすることができる。
【００１４】
また、ピッキング作業の完了を通知後管理コンピュータから、次にピッキング作業を行う棚番号を保管棚に設置した棚番号表示器に表示するようにすることにより、確実に次にピッキング作業を行う棚へ移動でき、各保管棚での正確なピッキングを簡易に、確実にすることができる。
【００１５】
さらにまた、作業者に割り付けられている１出荷番号分のピッキング作業が完了した場合、保管棚に設置した棚番号表示器に終了コードを表示するようにすることにより、作業者は目視により確認することができる。
【発明を実施するための最良の形態】
【００１６】
以下、本発明のピッキングシステムの実施の形態を、図面に示す実施例に基づいて説明する。
【実施例１】
【００１７】
図１〜図３に、本発明のピッキングシステムの実施例を示す。
このピッキングシステムは、品物を保管、配送する配送センターの保管棚に配列した品物の中から必要な品物を、必要な数量だけ収集するピッキング作業を行えるように、各作業者の情報を記憶しているＩＣタグを各作業者が保持し、ピッキング作業を行う開始位置、特に限定されるのではないが、例えば入口ゲート付近に、各作業者が保持するＩＣタグの情報を読み取り、ＩＣタグの情報を管理コンピュータへ通知するようにしたＩＣタグリーダーを配置するとともに、品物保管庫内に複数列に配列配置した多段式の保管棚に、保管棚用のＩＣタグリーダーと、前記作業者のピッキング作業内容を表示する表示器と、該作業者が保管棚でのピッキング作業の完了を通知するための押釦スイッチとを配置して構成し、管理コンピュータで各作業者にその作業者が保管棚で行うピッキング作業を割り付けるようにするものである。
このように、保管棚毎にＩＣタグリーダーを配設することで、１つの保管棚に複数の作業者がこない限り、ピッキングする数量に誤りが生じることがなく、また保管棚毎にピッキング作業完了の押釦スイッチを配置することで、該押釦スイッチを押下操作をしない限りピッキング未了となっており、収集されずに出荷するという誤配送を未然に防止することができる。
【００１８】
本発明のピッキングシステムは、図１に示すように、品物保管庫の入口ゲート及び出口ゲート或いはその近傍付近に、各作業者１０が保持するＩＣタグ１１の情報を読み取り、該ＩＣタグ１１の情報を管理コンピュータ１へ通知するようにしたＩＣタグリーダー３及び１４をそれぞれ配置し、かつピッキング対象物となる特定の品物９を保管し、これをピッキングするようにした各保管棚８で、棚毎に保管棚用のＩＣタグリーダー４，４を配置し、この各ＩＣタグリーダー３，４，１４と、前記管理コンピュータ１及びプリンタ１３とをＬＡＮ２にて接続し、さらに各保管棚８の上下方向の縦列保管棚毎に次棚番号表示器７を、かつ各縦列保管棚毎の各段保管棚毎にピッキング数量表示器５とピッキング作業完了確認用の押釦スイッチ６とをそれぞれ配置し、このピッキング数量表示器５、押釦スイッチ６、次棚番号表示器７と管理コンピュータ１とをＩ／Ｏ配線１２にて接続して構成する。
【００１９】
この管理コンピュータ１には、保管棚８の縦列保管棚毎及び各段保管棚毎に保管するピッキング対象物となる特定の品物の在庫情報が保存されている。この在庫情報は、保管している品物９の品名と数量とその保管位置から構成されている。
また、各作業者が保持又は携行するＩＣタグ１１には、そのＩＣタグ１１を付ける作業者１０の作業者コードが格納されており、これらが格納データとなる。
【００２０】
また、管理コンピュータ１には、例えば別のコンピュータ或いは別のシステムからの出荷情報がインプットされるようにし、この出荷情報としては、出荷番号と出荷する品物の品名とその数量とからなっている。
さらに、この管理コンピュータ１により、保存されている在庫情報とインプットされた出荷情報とによりピッキング情報を作成する。このピッキング情報は、出荷番号と出荷する品物の品名と数量と保管位置から構成されている。
作業者１０とその特定の作業者１０によるピッキング情報の割付は、当該作業者１０が開始地点用のＩＣタグリーダー３を通過することにより、当該作業者が保持或いは携行しているＩＣタグ１１の情報（作業者コード）をＩＣタグリーダー３にて読み取り、この情報を管理コンピュータ１に入力されると、当該作業者１０がピッキングエリア内に進入してきたことを認識して行われるようにする。
【００２１】
次に、本発明によるピッキング作業について、説明する。
（１）特定の作業者１０がＩＣタグ１１を付けて開始地点用ＩＣタグリーダー３を設置した位置を通過すると、該ＩＣタグリーダー３によりＩＣタグ１１の情報が読み込まれ、該情報がＬＡＮ２を経て管理コンピュータ１に通知される。
（２）管理コンピュータ１はピッキングエリアに作業者が進入してきたことを認識し、作業者コードをピッキング情報の中から出荷番号を関連付け個人作業情報を作成する。
個人作業情報は作業者コード、出荷番号、出荷する品物の品名と数量と保管位置からなている。
（３）作業者１０がピッキングエリア内の指定された保管棚８の前に到着すると、保管棚（ピッキング棚）用のＩＣタグリーダー４で作業者１０が保持しているＩＣタグ１１の情報（内容）を読み取る。
（４）ＩＣタグリーダー４にて読み取ったＩＣタグ１１の情報が管理コンピュータ１に送られると、管理コンピュータ１は、先に作成した個人作業情報の内容に従い、当該保管棚に当該出荷物が存在していれば、当該保管棚のピッキング数量表示器５に出荷数量を表示する。
複数の出荷物が当該保管棚に存在した場合、複数のピッキング数量表示器に各々の出荷数量を表示する。
反対に、当該保管棚に出荷物がなければ、次棚番号表示器７に出荷物のある棚番号を表示するので、作業者１０はそ次棚番号が表示された保管棚へ移動する。
（５）作業者１０はピッキング数量表示器５で表示された保管棚の出荷物を指定された数量をピッキングし、台車１５に載せる。
（６）保管棚でのピッキングが終わったら、その保管棚に配設されているピッキング確認用の押釦スイッチ６を押す。
（７）ピッキング確認用の押釦スイッチ６の押下操作により、情報はＩ／Ｏ配線１２を通して管理コンピュータ１に伝達される。
（８）管理コンピュータ１は、当該保管棚８での出荷物のピッキングが完了したことと認識し、Ｉ／Ｏ配線１２で表示していたピッキング確認用の押釦スイッチ６とペアのピッキング数量表示器５の表示を消灯する。
（９）当該保管棚のすべてのピッキング作業が終了するまで、前記（５）〜（８）の操作をを繰り返す。
（１０）保管棚のピッキング作業がすべて終了すると管理コンピュータ１は次棚番号表示器７に、次に当該作業者１０がピッキングすべき棚番号を表示する。
（１１）このようにして１出荷番号分が終了（処理中の個人作業情報のピッキング作業分終了）するまで前記（３）〜（１０）の操作を繰り返す。
（１２）上記（１１）の操作にて作業者１０がピッキングすべき出荷物のピッキングがすべて完了すると次棚番号表示器７に終了コードを表示する。作業者１０はピッキングエリアの終了地点へ移動する。
（１３）作業者１０が終了地点に到着すると、終了地点用のＩＣタグリーダー１４で作業者１０が付けているＩＣタグ１１の情報を読み取る。
（１４）この読み取った情報は直ちに管理コンピュータ１に伝達される。
（１５）管理コンピュータ１により、伝達された情報に従ってプリンタ１３から出荷伝票を印刷する。
（１６）作業者１０はプリンタ１３から排出される出荷伝票を抜き取り、台車１５に収集した品物の上において、出庫エリアへ持って行き、１出荷番号分が終了する。この動作を、各作業者１０毎によりピッキング作業が行われる。
【００２２】
以上、本発明のピッキングシステムについて、実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明のピッキングシステムは、作業者毎に、また保管棚毎に保持又は配置されたＩＣタの情報を、指定位置に配置されたＩＣタグリーダーにて読み取るという特性を有していることから、多数の品物を保管した保管庫等から、指定された品物、その数量等の在庫情報に基づいて出荷する用途に好適に用いることができるほか、例えば、倉庫での入出荷の自動管理の用途にも用いることができる。
【図面の簡単な説明】
【００２４】
【図１】本発明のピッキングシステムの実施例を示す正面図である。
【図２】ピッキング作業のフロー図である。
【図３】本発明のピッキングシステムのデータイメージを示す説明図である。
【図４】従来のピッキングシステムの説明図である。
【符号の説明】
【００２５】
１    管理コンピュータ
２    ＬＡＮ
３    ＩＣタグリーダー（開始地点用）
４    ＩＣタグリーダー（ピッキング棚用）
５    ピッキング数量表示器
６    ピッキング確認釦
７    次棚番号表示器
８    ピッキング棚
９    ピッキング対象物
１０  作業者
１１  ＩＣタグ
１２  Ｉ／Ｏ配線（数量表示器、確認釦、棚番号表示器）
１３  プリンタ
１４  ＩＣタグリーダー（終了地点用）
１５  台車
【図１】
2005170584.tif 000003
【図２】
2005170584.tif 000004
【図３】
2005170584.tif 000005
【図４】
2005170584.tif 000006